(57)【特許請求の範囲】
【請求項１】
吸込孔（７２ａ）が形成され、且つ吸込パイプ（６）に連通している吸込ユニット（７）を水底（２）直近の懸濁液の層（３）に位置させて、その吸込ユニット（７）の吸込孔（７２ａ）から懸濁液の層（３）に存在する懸濁液（３２）を吸い込み、その吸込ユニット（７）の内部を介して吸込パイプ内を流過せしめる懸濁液回収装置において、前記吸込パイプ（６）は負圧源に連通しており、その吸込パイプ（６）と連通する吸込ユニット（７）は側面に複数の吸込孔（７２ａ）が形成された枠体（７２）と、その枠体（７２）と前記吸込パイプ（６）とを連通する支持体（７４）とから構成されていることを特徴とする懸濁液回収装置。
【発明の詳細な説明】
【０００１】
【発明の属する技術分野】
本発明は、河川や湖沼等の水底近傍や、海底近傍に浮遊している懸濁液を回収するための懸濁液回収装置に関する。
【０００２】
【従来の技術】
ダイオキシンその他の有害物質や汚染物質は河川や湖沼等の水底や海底に沈殿している汚泥のみならず、水底近傍や海底近傍に浮遊している懸濁液中（水底或いは海底の沈殿物層から上方の層であり、統計的には厚さが５０ｃｍ程度の層を形成している場合が多い）に大量に包含されている場合が多い。
【０００３】
上記ダイオキシンその他の有害物質や汚染物質を除去して、その悪影響を防止するためには、水底や海底に沈殿している汚泥を浚渫するだけではなく、水底近傍や海底近傍に浮遊している懸濁液を回収して処理する必要がある。
【０００４】
この様な懸濁液を回収するために、図８で示す様に、吸込パイプ６０の吸込口６０ａを懸濁液の層３のレベルに位置せしめ、当該吸込口６０ａから懸濁液３Ｌを吸込むことが提案されている。
【０００５】
しかし、図８で示す様な手法で上記懸濁液を吸込むと、吸込パイプ６０の吸込口６０ａ近傍の懸濁液３Ｌを吸込むと、その周囲の水或いは海水を大量に吸込んでしまうこととなる。その結果、吸込パイプ６０には、懸濁液３Ｌよりも水、海水の方が多く吸込まれてしまい、非効率であるとともに懸濁液中の例えばダイオキシンの様な有害物質の処理の効率が低下する。
【０００６】
また、懸濁液が拡散し、その結果、有害物質も水中で拡散してしまう恐れがあり、本来の目的が達成できないと言う問題を含んでいた。
【０００７】
【発明が解決しようとする課題】
本発明は、上述した従来技術に鑑みて提案されたものであり、河川や湖沼等の水底近傍や、海底近傍に浮遊している懸濁液を拡散させることなく有効に回収することが出来て、しかも、周囲の水や海水を殆ど吸込まない懸濁液回収装置の提供を目的としている。
【０００８】
【課題を解決するための手段】
本発明によれば、吸込孔（７２ａ）が形成され、且つ吸込パイプ（６）に連通している吸込ユニット（７）を水底（２）直近の懸濁液の層（３）に位置させて、その吸込ユニット（７）の吸込孔（７２ａ）から懸濁液の層（３）に存在する懸濁液（３２）を吸い込み、その吸込ユニット（７）の内部を介して吸込パイプ内を流過せしめる懸濁液回収装置において、前記吸込パイプ（６）は負圧源に連通しており、その吸込パイプ（６）と連通する吸込ユニット（７）は側面に複数の吸込孔（７２ａ）が形成された枠体（７２）と、その枠体（７２）と前記吸込パイプ（６）とを連通する支持体（７４）とから構成されている。
【０００９】
ここで、本明細書では「懸濁液」は、沈殿しておらず、固体にはなっていない流動状の物質、浮遊土、コロイド状或いはゲル状の物質を広く包含する趣旨で、用いられている。
【００１０】
上述した構成を具備する本発明によれば、吸込ユニット（７）を水底（湖沼の底部、河川の底部、海底等）（２）直近の懸濁液の層（３）に位置させてから懸濁液（３Ｌ）を吸い込むため、有害物質を包含していない水は吸い込まれずに、懸濁液（或いは浮遊土）（３Ｌ）のみを吸う。その際に、懸濁液が拡散されてしまうことはない。
吸い込まれた懸濁液（３Ｌ）は、吸込ユニット（７）の内部を介して吸込パイプ（６）内を流過し、例えば浚渫船（５）の貯蔵手段（５ａ）等に一旦貯蔵され、その後、有害物質処理施設に運搬される。
その結果、懸濁液（３Ｌ）に大量に包含される有害物質が、拡散されること無く、安全に処理される。
【００１１】
また、水平方向に多数の孔（７２ａ）で吸引し、即ち、広い面積で吸引することとなり懸濁液（３Ｌ）吸引の効率が向上する。
【００１３】
本発明の実施に際して、前記吸込ユニット（７０）は、垂直方向に複数段の枠体（７２）及び支持体（７４）を有する様に構成しても良い（図５）。
【００１４】
上記の場合、枠体（円形の枠、四角形の枠）（７２、７３）及び支持体（内部の十字型に渡した棒）（７４、７５）の全てに懸濁液吸収用開口（吸込孔）（７２ａ）が形成されており、当該開口（７２ａ）から、懸濁液を吸収する様に構成されていることが好ましい。
【００１５】
本発明の実施に際して、前記吸込ユニット（７０）を隔壁（９）で包囲することが可能である（図５）。
この様に構成した汚染物質回収装置によれば、隔壁（箱或いは格子状ストレーナ）（９）で囲まれた懸濁液（浮遊土３Ｌ）を吸引した後、隔壁（９）で包囲された吸込ユニット（７０）を移動して、他の領域の浮遊土を順次吸引していけばよい。
【００１６】
或いは、枠体（７６）を上下左右に拡張し、支持体（７７）を増し、該支持体（７７）を縦横に格子状に組んだ吸い込み装置（図６）としてもよい。
上記構成の場合、吸収用の孔は増加しており、多数の吸収用孔より懸濁液を吸収する（吸い込む）ため、一度に広い範囲にわたって懸濁液を回収出来、効率的である。
【００１７】
また、以上で述べた装置を上下方向に複数段に構成しても良い（図７）。その様に構成することにより、回収工事はさらに効率的となる。
【００１８】
【発明の実施の形態】
以下、添付図面を参照して、本発明の実施形態について説明する。
先ず、図１〜図４を参照して、本発明の第１実施形態を説明する。
【００１９】
図１において、水域1の水底２の上部にはダイオキシンその他の有害物質や汚 染物質を多量に含む懸濁液（３Ｌ）の層３が存在する。
【００２０】
前記懸濁液の層３の懸濁液（３Ｌ）を浚渫するために、水面４に停泊する浚渫船５から吸込みユニット７を昇降ケーブル８により前記懸濁液の層３まで沈降させる。
【００２１】
前記吸込みユニット７には前記浚渫船５に搭載された図示しない負圧源(例え ば、真空ポンプ)に接続された吸込みパイプ６が連通している。
【００２２】
そして、前記吸込みユニット７は、図２及び図３で示す様に側面に複数の吸い込み孔７２ａが形成され円環より成る枠体７２と、例えば、断面が円形の直管を十文字に組んだ状態で枠体７２を支え、枠対７２と前記吸込みパイプ６とを連通する支持体７４とから構成されている。
【００２３】
尚、枠体は四角形とし、図４に示す様に、該四角形の枠体７３及び支持体７５を田の字状に組んでもよい。
【００２４】
図１〜図４で説明した第１実施形態の汚染物質回収装置によれば、吸込ユニット７を水底２直近の懸濁液の層３に位置させてから懸濁液３Ｌを吸い込むため、有害物質を包含していない水は吸い込まれずに、懸濁液（或いは浮遊土）（３Ｌ）のみを吸うことが出来る。
【００２５】
吸い込まれた懸濁液３Ｌは、図1を再び参照して、吸込ユニット７の内部を介 して吸込パイプ６内を流過し、浚渫船５の貯蔵手段５ａ等に一旦貯蔵され、その後、図示しない有害物質処理施設に運搬される。その結果、懸濁液３Ｌに大量に包含される有害物質が、拡散されること無く、安全に処理される。
【００２６】
図５を参照して第２実施形態を説明する。
図５は吸込みユニット７０の側面図を示しており、図１〜図４で示した第１実施形態の吸込みユニット７を垂直方向に複数段構成したもの（図示では２段）である。
【００２７】
尚、図５中、符号９は上段の吸込みユニット７０Ｕから下段の吸込みユニット７０Ｌにかけて吸込みユニット全体７０を囲みこむ様に設置した隔壁であり、懸濁液（浮遊土３Ｌ）を効率的に吸引せしめ、且周囲を吸引による攪乱から防ぐ目的のものである。
【００２８】
図５で説明した第２実施形態の汚染物質回収装置によれば、比較的厚さ寸法が大きな懸濁液の層３の懸濁液を回収する場合に有利である。
【００２９】
図６を参照して第３実施形態を説明する。
図６は図４で示した枠体７３を左右上下に拡張し（枠体７６とし）、支持体７７の数を増して格子状に組み、水平方向に広く配置したものである。
【００３０】
図６で示す第３実施形態の汚染物質回収装置によれば、水平方向に広く配置された多数の吸収用孔より懸濁液を吸い込むため、一度に広い範囲にわたって懸濁液を回収出来、効率的である。
【００３１】
図７を参照して第４実施形態を説明する。
図７は図６を垂直方向に数段配置したものである。
【００３２】
図７で示す第４実施形態の汚染物質回収装置によれば、水平方向及び垂直方向に汚染物質回収能力が共に高く、一度に大量の汚染物質を回収する能力を有している。
【００３３】
図示の実施形態はあくまでも例示であり、本発明の技術的内容を限定する趣旨の記述ではない旨を付記する。
【００３４】
【発明の効果】
以下に本発明の作用効果を列記する。
（１）  吸込ユニットを水底直近の懸濁液の層に位置させてから吸い込むため、懸濁液（或いは浮遊土）のみを吸うことが出来る。
（２）  吸い込まれた懸濁液は、吸込パイプ内を介して浚渫船の貯蔵手段等に一旦貯蔵され、その後、有害物質処理施設に運搬されるため、有害物質が、拡散されること無く、安全に処理される。
（３）  吸込みユニットを垂直方向に複数段構成すれば厚さ寸法が大きな懸濁液の層から懸濁液を効率的に回収することが出来る。
（４）  枠体を前後左右に拡張し、支持体の数を増したユニットを構成した場合は、一度に広い範囲にわたって懸濁液を回収出来る。
（５）  枠体を前後左右に拡張し、支持体の数を増したユニットを、さらに上下に複数段組むことによって、更に大量の汚染物質を処理することが出来る。
【図面の簡単な説明】
【図１】本発明の実施形態に置ける汚染物質回収工事及び装置を示す概要図。
【図２】本発明の第１実施形態における吸込みユニットの1例を示す平面図。
【図３】図２に対する側面図。
【図４】本発明の第１実施形態における吸込みユニットのその他の例を示す平面図。
【図５】本発明の第２実施形態における吸込みユニットを示す側面図。
【図６】本発明の第３実施形態における吸込みユニットを示す平面図。
【図７】本発明の第４実施形態における吸込みユニットを示す側面。
【図８】従来技術における汚染物回収工事の要部を示す説明図。
【符号の簡単な説明】
１・・・水域
２・・・水底
３・・・懸濁液の層
４・・・水面
６・・・吸込みパイプ
７・・・吸込みユニット
８・・・昇降ケーブル
９・・・隔壁
７２、７３・・・枠体
７４、７５・・・支持体
７２ａ・・・吸込み孔
【図１】
0004761495.tif 000002
【図２】
0004761495.tif 000003
【図３】
0004761495.tif 000004
【図４】
0004761495.tif 000005
【図５】
0004761495.tif 000006
【図６】
0004761495.tif 000007
【図７】
0004761495.tif 000008
【図８】
0004761495.tif 000009